(57)【要約】  識別突起が装着される連通溝にガスケット本体部が入り込んでしまうことに伴う破損の抑制を図ることのできるガスケット及び密封構造を提供する。  第１部材２００に設けられた装着溝２１１に装着されるガスケット本体部１１０と、第１部材２００に設けられ、装着溝２１１から第１部材２００の外壁面に連通する連通溝２１２に装着され、かつ第１部材２００の外壁面側から視認可能に構成され、ガスケット１００の装着の有無を識別するための識別突起１２０と、を備え、識別突起１２０には、連通溝２１２の両側面にそれぞれ密着し、識別突起１２０の位置決めを可能とする一対の位置決め突起が設けられていることを特徴とする。
2018116878.tif 000002
【特許請求の範囲】
【請求項１】
互いに固定される第１部材と第２部材との間の隙間を封止するガスケットであって、
第１部材に設けられた装着溝に装着されるガスケット本体部と、
第１部材に設けられ、前記装着溝から第１部材の外壁面に連通する連通溝に装着され、かつ第１部材の外壁面側から視認可能に構成され、ガスケットの装着の有無を識別するための識別突起と、
を備え、
前記識別突起には、前記連通溝の両側面にそれぞれ密着し、該識別突起の位置決めを可能とする一対の位置決め突起が設けられていることを特徴とするガスケット。
【請求項２】
互いに固定される第１部材及び第２部材と、
これら第１部材と第２部材との間の隙間を封止するガスケットと、
を備える密封構造であって、
第１部材には、装着溝と、該装着溝から第１部材の外壁面に連通する連通溝とが設けられると共に、
前記ガスケットは、
前記装着溝に装着されるガスケット本体部と、
前記連通溝に装着され、かつ第１部材の外壁面側から視認可能に構成され、ガスケットの装着の有無を識別するための識別突起と、
を備え、
前記識別突起には、前記連通溝の両側面にそれぞれ密着し、該識別突起の位置決めを可能とする一対の位置決め突起が設けられていることを特徴とする密封構造。
【発明の詳細な説明】
【技術分野】
【０００１】
本発明は、互いに固定される２部材間の隙間を封止するガスケット及び密封構造に関する。
【背景技術】
【０００２】
各種装置においては、装置内部から外部への密封対象流体の漏れ防止や、外部から装置内部への異物の侵入を防止するために、互いに固定される２部材間の隙間を封止するガスケットが広く用いられている。また、２部材を固定させた後に、ガスケットが装着されているか否かを確認できるように、２部材の外側から視認可能な識別突起が備えられるガスケットが知られている。このような従来例に係るガスケットについて、図７を参照して説明する。図７は従来例に係るガスケットが第１部材に装着された状態を示す平面図である。【０００３】
２部材のうちの一方の部材（第１部材２００と称する）には、装着溝２１１と、装着溝２１１から第１部材２００の外壁面に連通する連通溝２１２とが設けられている。そして、ガスケット５００は、装着溝２１１に装着されるガスケット本体部５１０と、連通溝２１２に装着される識別突起５２０とを一体に備えている。また、識別突起５２０は、第１部材２００の外壁面側から視認可能に構成されている。以上のように構成されるガスケット５００によれば、第１部材２００の外壁面側から識別突起５２０の有無を視認できるため、ガスケット５００が装着されているか否かを確認することができる。【０００４】
しかしながら、上記のようなガスケット５００を備える密封構造においては、第１部材２００に連通溝２１２が設けられているため、ガスケット本体部５１０の内側の圧力や熱膨張の影響により、ガスケット本体部５１０の一部が連通溝２１２に入り込んでしまうことがある。つまり、ガスケット本体部５１０が径方向外側に膨らむことにより、識別突起５２０が外側に飛び出すようにして、ガスケット本体部５１０の一部が連通溝２１２に入り込んでしまうことがある。これにより、密封性が低下してしまうおそれがある。また、ガスケット本体部５１０の一部が連通溝２１２に入り込むような動作が繰り返されることにより、ガスケット本体部５１０に亀裂が生じてしまうなど破損してしまうおそれがある。特に、装着溝２１１と連通溝２１２との境界付近の角部２１３にガスケット５００が突き当たることにより、亀裂などが生じるおそれがある。
【先行技術文献】
【特許文献】
【０００５】
【特許文献１】特開２００４−２１８７９３号公報
【特許文献２】特開２００４−３１６７３２号公報
【発明の概要】
【発明が解決しようとする課題】
【０００６】
本発明の目的は、識別突起が装着される連通溝にガスケット本体部の一部が入り込んでしまうことの抑制を図ることのできるガスケット及び密封構造を提供することにある。
【課題を解決するための手段】
【０００７】
本発明は、上記課題を解決するために以下の手段を採用した。【０００８】
本発明のガスケットは、
互いに固定される第１部材と第２部材との間の隙間を封止するガスケットであって、
第１部材に設けられた装着溝に装着されるガスケット本体部と、
第１部材に設けられ、前記装着溝から第１部材の外壁面に連通する連通溝に装着され、かつ第１部材の外壁面側から視認可能に構成され、ガスケットの装着の有無を識別するための識別突起と、
を備え、
前記識別突起には、前記連通溝の両側面にそれぞれ密着し、該識別突起の位置決めを可能とする一対の位置決め突起が設けられていることを特徴とする。【０００９】
また、本発明の密封構造は、
互いに固定される第１部材及び第２部材と、
これら第１部材と第２部材との間の隙間を封止するガスケットと、
を備える密封構造であって、
第１部材には、装着溝と、該装着溝から第１部材の外壁面に連通する連通溝とが設けられると共に、
前記ガスケットは、
前記装着溝に装着されるガスケット本体部と、
前記連通溝に装着され、かつ第１部材の外壁面側から視認可能に構成され、ガスケットの装着の有無を識別するための識別突起と、
を備え、
前記識別突起には、前記連通溝の両側面にそれぞれ密着し、該識別突起の位置決めを可能とする一対の位置決め突起が設けられていることを特徴とする。【００１０】
本発明によれば、識別突起には、第１部材に設けられた連通溝の両側面にそれぞれ密着し、該識別突起の位置決めを可能とする一対の位置決め突起が設けられている。従って、識別突起が連通溝内で移動してしまうことを抑制することができる。これにより、ガスケット本体部の内側に圧力がかかったり、熱膨張したりしても、ガスケット本体部の一部が連通溝内に入り込んでしまうことを抑制することができる。
【発明の効果】
【００１１】
以上説明したように、本発明によれば、識別突起が装着される連通溝にガスケット本体部の一部が入り込んでしまうことの抑制を図ることができる。
【図面の簡単な説明】
【００１２】
【図１】図１は本発明の実施例に係るガスケットの平面図である。
【図２】図２は本発明の実施例に係るガスケットの模式的断面図である。
【図３】図３は本発明の実施例に係るガスケットの模式的断面図である。
【図４】図４は本発明の実施例に係るガスケットが第１部材に装着された状態を示す平面図である。
【図５】図５は本発明の実施例に係る密封構造の模式的断面図である。
【図６】図６は本発明の実施例に係る密封構造の模式的断面図である。
【図７】図７は従来例に係るガスケットが第１部材に装着された状態を示す平面図である。
【発明を実施するための形態】
【００１３】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００１４】
（実施例）
図１〜図６を参照して、本発明の実施例に係るガスケット及び密封構造について説明する。図１は本発明の実施例に係るガスケットの平面図である。図２及び図３は本発明の実施例に係るガスケットの模式的断面図である。なお、図２は図１中のＡＡ断面図であり、図３は図１中のＢＢ断面図である。図４は本発明の実施例に係るガスケットが第１部材に装着された状態を示す平面図である。図５及び図６は本発明の実施例に係る密封構造の模式的断面図である。なお、図５中のガスケット及び第１部材は図４中のＣＣ断面図に相当し、図６中のガスケット及び第１部材は図４中のＤＤ断面図に相当する。
【００１５】
＜ガスケット＞
特に、図１〜図３を参照して、本実施例に係るガスケット１００の構成について説明する。本実施例に係るガスケット１００は、互いに固定される２部材（以下、第１部材２００，第２部材３００と称する）間の隙間を封止する役割を担っている。ガスケット１００は、ゴムなどの弾性体により構成されている。そして、本実施例に係るガスケット１００は、ガスケット本体部１１０と、ガスケット１００の装着の有無を識別するための識別突起１２０とを一体に備えている。また、識別突起１２０は、識別突起本体部１２１と、識別突起本体部１２１の両側面側にそれぞれ設けられる一対の位置決め突起とから構成されている。これら一対の位置決め突起は、いずれも、大突起１２２と、この大突起１２２の先端に設けられる小突起１２３とから構成される。大突起１２２と小突起１２３は、いずれも、円柱形状に対して、円柱の中心軸線に平行な面で切断したような形状で構成されている。そして、上記中心軸線に垂直な面で切断した場合における大突起１２２の表面の曲率半径の方が、小突起１２３の表面の曲率半径よりも大きくなるように構成されている。
【００１６】
＜密封構造＞
特に、図４〜図６を参照して、本実施例に係るガスケット１００が備えられる密封構造について説明する。本実施例に係る密封構造は、互いに固定される第１部材２００及び第２部材３００と、これら第１部材２００と第２部材３００との間の隙間を封止するガスケット１００とを備えている。図５，６中、右側が密封対象側（Ｏ）であり、左側が大気側（Ａ）である。第１部材２００には、装着溝２１１と、装着溝２１１から第１部材２００の外壁面に連通する連通溝２１２とが設けられている。
【００１７】
ガスケット１００におけるガスケット本体部１１０は装着溝２１１に装着される。そして、ガスケット１００における識別突起１２０は連通溝２１２に装着される。識別突起１２０は、第１部材２００の外壁面側から視認可能に構成されている。本実施例においては、識別突起１２０の先端の一部が、第１部材２００及び第２部材３００の外壁面よりも外側に飛び出していることにより、識別突起１２０を簡単に視認できるように構成されている。このように、第１部材２００の外壁面側から識別突起１２０の有無を視認できるため、ガスケット１００が装着されているか否かを確認することができる。また、識別突起１２０に設けられている一対の位置決め突起は、連通溝２１２の両側面にそれぞれ密着するように構成されている。つまり、一対の位置決め突起は、連通溝２１２の両側面に対して、締め代を有している。これにより、連通溝２１２に識別突起１２０が装着されると、特に小突起１２３が圧縮された状態で、一対の位置決め突起は連通溝２１２の両側面にそれぞれ密着する。これにより、連通溝２１２に対して、識別突起１２０の位置決めがなされる。なお、位置決め突起が大突起１２２と小突起１２３とから構成されることにより、位置決め突起を連通溝２１２に装着させる際に必要な力を抑制しつつ、安定した位置決め機能を発揮させることができる。
【００１８】
＜本実施例に係るガスケット及び密封構造の優れた点＞
本実施例に係るガスケット１００及び密封構造によれば、識別突起１２０には、第１部材２００に設けられた連通溝２１２の両側面にそれぞれ密着し、識別突起１２０の位置決めを可能とする一対の位置決め突起（大突起１２２と小突起１２３とから構成される位置決め突起）が設けられている。従って、識別突起１２０が連通溝２１２内で移動してしまうことを抑制することができる。これにより、ガスケット本体部１１０の内側に圧力がかかったり、熱膨張したりしても、ガスケット本体部１１０の一部が連通溝２１２内に入り込んでしまうことを抑制することができる。また、装着溝２１１と連通溝２１２との境界付近の角部２１３にガスケット１００が突き当たってしまうことも抑制することができる。以上より、識別突起１２０が装着される連通溝２１２にガスケット本体部１１０の一部が入り込んでしまうことに伴う破損の抑制を図ることができる。また、密封性の低下も抑制することができる。
【符号の説明】
【００１９】
１００  ガスケット
１１０  ガスケット本体部
１２０  識別突起
１２１  識別突起本体部
１２２  大突起
１２３  小突起
２００  第１部材
２１１  装着溝
２１２  連通溝
２１３  角部
３００  第２部材
【図１】
2018116878.tif 000003
【図２】
2018116878.tif 000004
【図３】
2018116878.tif 000005
【図４】
2018116878.tif 000006
【図５】
2018116878.tif 000007
【図６】
2018116878.tif 000008
【図７】
2018116878.tif 000009
【国際調査報告】
2018116878.tif 000010
2018116878.tif 000011
2018116878.tif 000012
2018116878.tif 000013